(57)【要約】【課題】極めてコンパクトなフレーム構成としても床部をしっかりと支持し、安定して使用できる背上げ可能なベッドを提供すること。【解決手段】基部フレームの上面に支持される床部を、背受ボトムと腰受ボトムと脚受ボトムとに分割構成し互いに隣接するよう配置し、この腰受ボトムを基部フレームに対して前後に移動可能に構成し、かつ、前後移動に連動して前記背受ボトムは起伏あるいは倒伏するよう構成するとともに、前記脚受ボトムは腰受ボトム下方へ移動可能に構成し、前記背受ボトムと腰受ボトムと脚受ボトムが略々同一平面をなすベッド状の形態から背受ボトムが起立した際に、腰受ボトムがヘッドボード側に移動するとともに、脚受ボトムは前記腰受ボトム下方に移動することにより椅子状の形態に変更可能に構成した背上げ可能なベッドにおいて、基部フレームに側面視において前方開放の空間を設け、この空間内に脚受ボトムが進入可能となるよう構成した。【選択図】図１
2005118189.tif 000002
【特許請求の範囲】
【請求項１】
基部フレームの上面に支持される床部を、少なくとも背受ボトムと腰受ボトムと脚受ボトムとに分割構成するとともに互いに隣接するよう配置し、この腰受ボトムを前記基部フレームに対して前後に移動可能に構成し、かつ、前後移動に連動して前記背受ボトムは起伏あるいは倒伏するよう構成するとともに、前記脚受ボトムは腰受ボトム下方へ移動可能に構成し、前記背受ボトムと腰受ボトムと脚受ボトムが略々同一平面をなすベッド状の形態から背受ボトムが起立した際に、腰受ボトムがヘッドボード側に移動するとともに、脚受ボトムは前記腰受ボトム下方に移動することにより椅子状の形態に変更可能に構成した背上げ可能なベッドにおいて、前記基部フレームは、側面視において前方開放の空間を設け、この空間内に前記脚受ボトムが進入可能となるよう構成したことを特徴とする背上げ可能なベッド。
【請求項２】
基部フレームの上面に支持される床部を、少なくとも背受ボトムと腰受ボトムと脚受ボトムとに分割構成するとともに互いに隣接するよう配置し、この腰受ボトムを前記基部フレームに対して前後に移動可能に構成し、かつ、前後移動に連動して前記背受ボトムは起伏あるいは倒伏するよう構成するとともに、前記脚受ボトムは腰受ボトム下方へ移動可能に構成し、前記背受ボトムと腰受ボトムと脚受ボトムが略々同一平面をなすベッド状の形態から背受ボトムが起立した際に、腰受ボトムがヘッドボード側に移動するとともに、脚受ボトムは前記腰受ボトム下方に移動することにより椅子状の形態に変更可能に構成した背上げ可能なベッドにおいて、前記基部フレームを床部よりも短く構成するとともに、少なくとも床部が平面状態にあるとき、脚受ボトム側を支持する床部支持機構を設けたことを特徴とする背上げ可能なベッド。
【発明の詳細な説明】
【技術分野】
【０００１】
本発明は、背上げ可能なベッドに関するものである。
【背景技術】
【０００２】
従来、一般的に使用されている背上げ可能なベッドとして、次のようなものがある。
まず、ベッドの床部を屈曲可能に接続された背側背床部、腰側背床部、腰床部、上腿床部、下腿床部とからなっている。そして、背上げ機構を用いて背側背床部及び腰側背床部を上方に押し上げることにより、床部が起伏するようになっている。なお、このベッドでは、背上げ機構に連動して膝上げ機構も駆動され、上腿床部及び下腿床部が起伏するようにもなっている（例えば、特許文献１参照。）。
また、前述と異なる第二の形態をとったものもある。このベッドは、床部を背ボトムを含む複数のボトムで構成し、隣接するボトムを屈曲可能に接続するとともに、前記背ボトムを起伏させる背上げ機構を有しており、背ボトムの背上げに連動して複数のボトムが頭側に移動し、ベッドサイドに置いてある物を無理なくとることができるように工夫されたものである（例えば、特許文献２参照。）。
さらに、上記と異なる第三の形態をとったものもある。この形態のベッドでは、背上げを行うとともに、脚部パネルが大腿部パネルに回動自在に枢着されており、大腿部パネルが水平状態から垂下した状態に変更可能なものであり、ベッドの状態と椅子の状態とに形態を変更することができるものである（例えば、特許文献３参照。）。
【特許文献１】特開平１１−１１３９７７号公報
【特許文献２】特開２００２−２００１２２号公報
【特許文献３】特表平９−５０８０４１号公報
【０００３】
このように、背上げ可能なベッドとして様々な形態のものが提案されている。しかしながら、第一の形態における背上げ可能なベッドでは、腰床部がベッドフレームに対して相対的に固定された構成であり、背側背床部を起伏させ、背上げさせるにしたがい、ベッド上の使用者の頭部はベッドフレームに対して相対的に脚側に移動する。したがって、仰臥している状態で取りやすいベッドサイドに置いた物が背上げした状態では手の届かないところに位置してしまい不便を感じることが多かった。また、背上げした状態で、背側背床部とヘッドボードとの間に大きな空間が発生してしまい、この空間に異物が入り込んだ状態となったときにもベッド上の使用者が操作する場合には背後となっており気づかない状態で操作してしまう恐れもあり危険であった。
【０００４】
また、第二の形態における背上げ可能なベッドでは、背上げに連動して各ボトムが頭部側に移動するよう構成されており、前述のように頭側背床部とヘッドボードとの間の大きな空間の発生を防止できるように配慮されている。しかしながら、各ボトムが頭部側に移動することにより、ベッドフレームと脚ボトム間に隙間ができる構成となっている。そのため、この隙間に布団等が入り込みやすく、正常な動作の妨げとなる恐れがあった。
さらに、これらのベッドのフレームは床部が水平面を形成する状態よりもやや大きめに構成されており、背上げした際には頭側あるいは脚側に大きく無駄なスペースができてしまうなどといった問題点がある。
【０００５】
そして、第三の形態における背上げ可能なベッドでは、背上げとともに脚部パネルが下方回動するよう構成され、椅子状の形態をとることが可能となっている。すなわち、第一及び第二の形態における背上げ可能ベッドではベッドから離床する際に身体の向きを９０度回転させて、ベッドサイドに端座位をとった姿勢から立ち上がらなければならないが、この第三の形態の背上げ可能なベッドでは、身体の向きを換えることなく、ベッドに寝た状態から椅子に腰掛けた状態まで自動的にベッド側の操作によって行われるので、離床することが容易であるという効果がある。しかしながら、このベッドも第一の形態と略々同様に頭部側には、背上げに伴い大きな空間が発生するという欠点を有している。また、椅子状態で着座した姿勢を楽なものとするためには、臀部から膝までの長さと略々同等の大きさの大腿部パネルとする必要があり、この大腿部パネルの大きさになると、脚部パネルは膝下の長さ以上の長さを有していないとベッド上で仰臥する際にベッドから脚がはみ出してしまう欠点がある。そのため、大きな脚部パネルとなり、座った状態では使用者の脚が床に届かない状態となるものであり、使用上においては、立ち上がり易さにかけるものである。なお、このベッドのフレームはコンパクトに構成されているが、大腿部パネルの下方までの支持しかできておらず、脚部パネル側に負荷をかけてしまった場合には、転倒する恐れがある。
このように、従来の背上げ可能なベッドでは、療養者がベッド上で療養する際には非常に好適であるが、療養者がベッドから離床し、何らかの活動をするにはあまり適しているものではない。さらには、ベッドが占めるスペースが広く必要となってしまうなどといった問題点もあった。
【発明の開示】
【発明が解決しようとする課題】
【０００６】
解決しようとする課題は、極めてコンパクトなフレーム構成とし、さらに、床部をしっかりと支持し安定して使用できる背上げ可能なベッドを提供することを課題としている。
【課題を解決するための手段】
【０００７】
請求項１の発明では、基部フレームの上面に支持される床部を、少なくとも背受ボトムと腰受ボトムと脚受ボトムとに分割構成するとともに互いに隣接するよう配置し、この腰受ボトムを前記基部フレームに対して前後に移動可能に構成し、かつ、前後移動に連動して前記背受ボトムは起伏あるいは倒伏するよう構成するとともに、前記脚受ボトムは腰受ボトム下方へ移動可能に構成し、前記背受ボトムと腰受ボトムと脚受ボトムが略々同一平面をなすベッド状の形態から背受ボトムが起立した際に、腰受ボトムがヘッドボード側に移動するとともに、脚受ボトムは前記腰受ボトム下方に移動することにより椅子状の形態に変更可能に構成した背上げ可能なベッドにおいて、前記基部フレームは、側面視において前方開放の空間を設け、この空間内に前記脚受ボトムが進入可能となるよう構成したことを特徴とする。
請求項２の発明では、基部フレームの上面に支持される床部を、少なくとも背受ボトムと腰受ボトムと脚受ボトムとに分割構成するとともに互いに隣接するよう配置し、この腰受ボトムを前記基部フレームに対して前後に移動可能に構成し、かつ、前後移動に連動して前記背受ボトムは起伏あるいは倒伏するよう構成するとともに、前記脚受ボトムは腰受ボトム下方へ移動可能に構成し、前記背受ボトムと腰受ボトムと脚受ボトムが略々同一平面をなすベッド状の形態から背受ボトムが起立した際に、腰受ボトムがヘッドボード側に移動するとともに、脚受ボトムは前記腰受ボトム下方に移動することにより椅子状の形態に変更可能に構成した背上げ可能なベッドにおいて、前記基部フレームを床部よりも短く構成するとともに、少なくとも床部が平面状態にあるとき、脚受ボトム側を支持する床部支持機構を設けたことを特徴とする。
【発明の効果】
【０００８】
請求項１の発明では、基部フレームに前方開放するように空間を設けて、この空間内に脚受ボトムが入り込むように構成しているので、床部の幅を容易に変更することができる効果がある。
請求項２の発明では、基部フレームを床部よりも短く構成するとともに、脚受ボトムを支持する床部支持機構が設けられているので、ベッド状態で使用する際にも安定して使用することができる。さらに、椅子状態としたときには、基部フレームがコンパクトに構成されているので、設置スペースが狭く、広い空間ができるようになり、スペースを有効に活用することができる。
【発明を実施するための最良の形態】
【０００９】
第１図は本発明に係る背上げ可能なベッド１の作動状態を示す状態説明図であり、ベッド１上で仰臥可能な状態から、背上げとともに椅子掛け状態となる状態を示したものである。
このように本発明に係る背上げ可能なベッド１では、椅子状態となったときに、ベッド状態での全長Ｌの約半分までコンパクトとすることができるよう構成している。さらに、腰受ボトム５の下方に脚側マットレス５８が移動するように構成することによって、椅子状の形態となったときの座面高を低く構成することができるので前方への立ち上がりも難なくできるものとなっている。そして、基部フレーム２に脚受ボトム７が進入可能な前方開放の空間Ｓを設けた構成とすることによって、容易に背受ボトム６と腰受ボトム５、及び脚受ボトム７の幅を選択することができるようになった。さらに、少なくともベッド１上で仰臥可能な状態すなわち各ボトム５，６，７が水平面を形成する状態のときに、脚受ボトム７下方で脚受ボトム７を支持する床部支持機構１０を設けることによって、コンパクトな基部フレーム２であっても安定して使用することができるベッド１となっている。
【実施例１】
【００１０】
次に、図面に基づいて本発明に係る背上げ可能なベッド１について説明する。
本発明に係る背上げ可能なベッド１は、床上に設置される基部フレーム２と、この基部フレーム２に対して相対的に前後に移動自在となるよう駆動手段３を備えた摺動フレーム４と、該摺動フレーム４上に取り付けられる腰受ボトム５と、該腰受ボトム５に隣接するように配される背受ボトム６及び脚受ボトム７とから主に構成され、前記背受ボトム６には摺動フレーム４の前後移動に連動してこの背受ボトム６を起伏させる起伏機構８と、さらに、前記脚受ボトム７には摺動フレーム４の前後移動に連動してこの脚受ボトム７を腰受ボトム５下方へ移動させる移動手段９及び床部支持機構１０とを備えている。
【００１１】
まず、第２図に基づいて基部フレーム２について説明する。
この基部フレーム２は設置部材１１，１１を止着した左右一対の支柱パイプ１２，１２を備えている。そして、この支柱パイプ１２，１２を離間した状態で、上下に連結パイプ１３，１４をそれぞれ固着している。さらに、支柱パイプ１２，１２には、一端部に設置部材１５，１５が止着された支持パイプ１６，１６の他端部を固着している。また、上側の連結パイプ１３にはレール支持部材１７，１７の一端部が固着されており、レール支持部材１７，１７の他端部間には連結パイプ１８が固着されている。そして、このレール支持部材１７，１７の内側に正面視略々コ字状に構成されたレール部材１９，１９の開口面が内側向きとなるようにそれぞれ固着されている。なお、このレール部材１９の前後略々中間部上面にはＬ字状に曲折された後カムプレート２０を固着し、この後カムプレート２０から一定間隔離間して前方にもＬ字状に曲折された前カムプレート２１が固着されている。この前カムプレート２１及び後カムプレート２０は、平面視においてレール部材１９から内側にはみ出すように突出させた状態でレール部材１９にそれぞれ固着されている。
また、前カムプレート２１，２１上には反転軸２２，２２が内側に突出するように固着されている。さらに、レール支持部材１７，１７の前方部には腰受ボトム５を揺動させるための山型状のカムプレート２３，２３が固着されている。２４は補強パイプであり、レール支持部材１７及び支持パイプ１６間に固着され基部フレーム２のレール部材１９，１９を支持している。さらに、２５は連結パイプ１３，１４の略々中央部に固着された駆動手段３の取付部材であり、２６は起伏機構８の取付ブラケットである。
このように構成された基部フレーム２は側面視において、レール支持部材１７，１７と支持パイプ１６，１６間に前方向きの開放された空間Ｓを形成しているので、この空間Ｓ内に後述する脚受ボトム７を移動させることができる。すなわち、脚受ボトム７の幅を任意とすることが容易となるフレーム構成となっている。
【００１２】
次に第３図に基づいて前記基部フレーム２のレール部材１９，１９間を前後に移動する摺動フレーム４について説明する。
この摺動フレーム４は、左右に離間したメインパイプ２７，２７と、このメインパイプ２７，２７間に固着したＵ字状の後パイプ２８及び前パイプ２９とから主に構成されており、各メインパイプ２７，２７の前後には細径部３０ａと大径部３０ｂとからなる段付支軸３０，３０がそれぞれ固着されている。この段付支軸３０の細径部３０ａにはローラー３１がそれぞれ支承され、前記レール部材１９，１９内を前後に転動可能とされている。また、前パイプ２９の略々中間部には駆動手段２の取付部材３２，３２が固着され、メインパイプ２７，２７の略々中間部には腰受ボトム５の取付部材３３，３３が固着されている。なお、メインパイプ２７には、後述する起伏機構８の取付部となる空孔部２７ａがそれぞれ穿たれている。
【００１３】
上記のように構成された摺動フレーム４を、前後移動可能とするための駆動手段３として、アクチュエータ３４を用いている。このアクチュエータ３４は一端部を基部フレーム２の取付部材２５にピン３５より固定するとともに、他端部を摺動フレーム４の取付部材３２，３２にピン３６により固定している。このように基部フレーム２と摺動フレーム４間に駆動手段３を配することによって、駆動手段３であるアクチュエータ３４の伸縮により、適宜摺動フレーム４が前後に移動自在となっている。
なお、本実施例においては駆動手段３として伸縮可能なアクチュエータ３４を利用しているが、例えばネジと螺合体により相対的に前後に移動するよう構成してもよく、本実施例に限定するものではなく、摺動フレーム４が基部フレーム２に対して前後に移動可能とするものであれば何ら問題はない。
また、本実施例においては上記駆動手段３の制御装置を図示していないが、基部フレーム２に対して摺動フレーム４を任意の位置で作動及び停止できるよう構成されているものである。
【００１４】
次に第４図に基づいて、互いに隣接するように配置され、ベッド１の床部となる背受ボトム６と、腰受ボトム５及び脚受ボトム７について説明する。
まず、脚受ボトム７は、パイプを曲折して略々矩形状の枠体３７を構成し、該枠体３７内部に補強部材３８，３８を固着してなるマットレス受面を一体的に構成するとともに、この補強部材３８，３８には前後に空孔部３８ａ，３８ｂがそれぞれ穿たれている。そして、枠体３７の両側部には空孔部３７ａ，３７ａ，・・・が穿たれており、この空孔部３７ａ，３７ａ，・・・には、マット止め部材３９，３９がそれぞれ挿通され、ナット４０，４０，・・・にて固定されている。
そして、腰受ボトム５は、パイプを曲折して略々矩形状の枠体４１を形成し、該枠体４１内部に補強部材４２，４２を固着してなるマットレス受面を一体的に構成するとともに、補強部材４２，４２の後端部はマットレス受面から突出した状態とされ、突出した補強部材４２，４２の端部には回動軸受４３，４３が固着されている。さらに、枠体４１内部の後部寄りには横パイプ４４，４４が固着されており、この横パイプ４４，４４下面にコ字状ブラケット４５，４５が固着されている。このコ字状ブラケット４５，４５にはローラー４６，４６が転動自在となるように支承されている。なお、この枠体４１の両側部にも空孔部４１ａ，４１ａ，・・・が穿たれており、この空孔部４１ａ，４１ａ，・・・には、脚受ボトム７と同様に、マット止め部材３９，３９がそれぞれ挿通され、ナット４０，４０，・・・にて固定されている。
次に、背受ボトム６は、パイプを曲折して略々コ字状の上部枠体４７に基部パイプ４８を固着し、内部に補強部材４９，４９を固着してなるマットレス受面を一体的に構成するとともに、基部パイプ４８の適所には起伏機構８の取付部となるブラケット５０，５０が固着されている。さらに、補強部材４９，４９の適所にも起伏機構８の取付部となるブラケット５１，５１が固着されている。さらに、本実施例においては、基部パイプ４８を上部枠体４７からはみ出す状態で固着するとともに、上部枠体の両側部に差込パイプ５２を固着している。そして、この基部パイプ４８と差込パイプ５２にはサイドレールを装着可能かつマット止めとしても機能するサイドレールブラケット５３が取り付けられる。このサイドレールブラケット５３は、パイプ５４両端に筒体５５，５５を固着するとともに、前記基部パイプ４８と差込パイプ５２に挿通可能な軸材５６，５６を固着してなるものである。なお、このサイドレールブラケット５３，５３は、基部パイプ４８と差込パイプ５２に軸材５６，５６を挿通し、図示しないボルト等で止着するものとする。
このように構成した腰受ボトム５と背受ボトム６及び脚受ボトム７は、各ボトムを交換することなく、マット止め部３９とサイドレールブラケット５３の軸材５６，５６を長くするだけで、各ボトムの幅を容易に変更することができる。なお、マット止め部材３９とサイドレールブラケット５３は、何れのボトムに取り付けてもよい。
そして、５７は背側マットレスであり、背受ボトム６と腰受ボトム５上に載置される。そして、５８は脚側マットレスであり、脚受ボトム７上に載置される。また、これらマットレス５７，５８は適宜ズレ止めがなされている。
【００１５】
そして、上記腰受ボトム５は前記摺動フレーム４上に取り付けられる。
なお、本実施例においては、摺動フレーム４及び腰受ボトム５の前後移動に連動するように腰受ボトム５が後端部すなわち、回動軸受４３，４３を基端として前端側が上下に揺動する揺動機構５９が備えられている。この揺動機構５９は次のように構成されている。
まず、腰受ボトム５は、摺動フレーム４のメインパイプ２７，２７上面に固着された取付部材３３，３３と腰受ボトム５に固着されている回動軸受４３，４３とをピン６０，６０により回動自在に枢着して取り付けられている。このように取り付けられた腰受ボトム５は、摺動フレーム４の前後移動に連動して、コ字状ブラケット４５，４５に支承されたローラー４６，４６が基部フレーム２の山型状のカムプレート２３，２３上を転動する。したがって、摺動フレーム４が前端部に位置する状態から後側に移動する際に、腰受ボトム５は、回動軸受４３，４３を基端として徐々に前方が上方回動した後、下方回動し、略々水平状となるよう構成されている。なお、カムプレート２３，２３の形状を変えることによって揺動する位置、あるいは揺動する角度を任意に変更できることは言うまでもない。
さらに、上述した揺動機構５９は、後述する起伏機構８によって背受ボトム６が起立するときの角度にあわせて効果的な角度をもって揺動するよう構成することにより、ベッド１上の使用者が背上げ時に圧迫感やズレを感じないよう構成できるものである。
【００１６】
続いて、背受ボトム６の起伏機構８について説明する。
まず、この起伏機構８は背受ボトム６のブラケット５１，５１と基部フレーム２のブラケット２６，２６間に配される左右一対の第一リンク６１，６１と、摺動フレーム４に設けた空孔部２７ａ，２７ａと背受ボトム６のブラケット５０，５０間に配される第二リンク６２，６２と、第一リンク６１，６１と第二リンク６２，６２間に配される第三リンク６３，６３とから構成される。
詳述すると、第一リンク６１は、パイプの両端部に空孔部６１ａ，６１ａを設けるとともに、略々中間部にも空孔部６１ｂを設けてなるものである。この第一リンク６１，６１の下側の空孔部６１ａ，６１ａを基部フレーム２のブラケット２６，２６にピン６４，６４により枢着し、上側の空孔部６１ａ，６１ａを背受ボトム６のブラケット５０，５０にピン６５，６５を挿通し、取り付けている。そして、第二リンク６２は、三角形状のプレートの各頂点近傍に空孔部６２ａ，６２ｂ，６２ｃを設けたものである。そして、空孔部６２ａ，６２ａを背受ボトム６のブラケット５０，５０にピン６５，６５で取り付けるとともに、空孔部６２ｂ，６２ｂは摺動フレーム４に設けた空孔部２７ａ，２７ａにピン６６，６６で取り付けている。そして、第二リンク６２の残りの空孔部６２ｃと第一リンク６１の中間部に設けた空孔部６１ｂ間に両端に空孔部６３ａ，６３ａを設けてなる第三リンク６３をそれぞれピン６７，６７取り付けて構成されている。
【００１７】
この起伏機構８によれば、摺動フレーム４の前後移動に連動して、以下のように作動するものである。
まず、第８図に示すように、腰受ボトム５と背受６ボトムが同一平面を形成する状態にあるとき、摺動フレーム４は駆動手段３であるアクチュエーター３４が最も伸長した状態となり、前端位置に位置している。この状態では、腰受ボトム５のローラー４６，４６がカムプレート２３，２３に接していない状態となっており、腰受ボトム５は水平状態となっている。また、起伏機構８を構成する第一リンク６１，６１は前方回動した状態となっており、背受ボトム６を水平状態で支持している。
次に、第９図に示すようにアクチュエーター３４を縮め、摺動フレーム４を後退させると、摺動フレーム４に取り付けられた腰受ボトム５も同様に後退する。このとき、腰受ボトム５のローラー４６，４６がカムプレート２３，２３の傾斜部に沿って転動するため、腰受ボトム５の回動軸受４３，４３を回動中心として前端部が上方回動する。このとき、起伏機構８の第二リンク６２が摺動フレーム４とともに後退するので、第一リンク６１の回動基端である空後部６１ａと第二リンク６２の回動中心である空後部６２ａ間の間隔が徐々に狭くなってくる。そのため、第一リンク６１は上方回動するとともに、第三リンク６３が第二リンク６２を反時計回りに回動させる。このように作用する起伏機構８に取り付けられた背受ボトム６は腰受ボトム５の回動軸受４３から徐々に離間するように押し上げられながら起立するように構成されている。したがって、背受ボトム６の起立時における使用者の腰部の屈曲位置と背受ボトム６の見かけ上の回動中心が略々一致した状態となり、使用者とマット間に違和感がでないように構成されたものとなっている。
そして、第１０図及び第１１図に示すように、さらに摺動フレームを後退させると、腰受ボトム５のローラー４６，４６がカムプレート２３，２３の水平部から傾斜部に沿って転動し、腰受ボトム５を上方回動した状態から下方回動し始める。さらに、背受ボトム６は、起伏機構８によって起立する。
最後に、第１２図に示すように駆動手段３であるアクチュエーター３４が最も縮んだ状態となったときに、腰受ボトム５のローラー４５，４５はカムプレート２３，２３の傾斜部から離れ、腰受ボトム５は水平状態に戻る。そして、背受ボトム６は起立状態で保持され、側面視において椅子状態となっている。
なお、駆動手段３であるアクチュエーター３４を伸長すると、上述した逆の手順となって、元の背受ボトム６と腰受ボトム５が同一平面を形成する状態に復帰する。
【００１８】
次に、脚受ボトム７の移動手段９について説明する。
この移動手段９は左右一対の後側リンク６８，６８と前側リンク６９，６９及び、この後側リンク６９，６９と前側リンク６８，６８に取り付けられる脚受支持フレーム７０とから主に構成される。
まず、後側リンク６８は側面視において略々逆へ字状に湾曲したパイプ７１の両端部に筒体７２，７３を固着したものである。さらに、パイプ７１の中間部には軸受部材が固着されている。
また、前側リンク６９は側面視において略々逆ヘ字状に湾曲したパイプ７５の両端部に筒体７６，７７を固着したものであり、さらに、一方の筒体７６側には、上記前カムプレート２１下面を転動するローラー７８が支承されるプレート７９が固着されている。このプレート７９には、前記ローラー７８が支承される軸部材８０が固着されるとともに、この軸材８０前方部に位置するように水平部７９ａ及び突起部７９ｂが設けられたものである。
そして、この後側リンク６８と前側リンク６９を摺動フレーム４の段付支軸３０の大径部３０ｂに支承するとともに、前側リンク６９に支承しているローラー７８が前カムプレート２１下面を転動する状態として取り付けられる。
さらに、この後側リンク６８及び前側リンク６９には脚受支持フレーム７０を取り付ける。この脚受支持フレーム７０は後方側が開放した平面視において略々コ字状に形成されたものであり、左右のフレームパイプ８１，８１間に横パイプ８２を固着してなるものである。そして、前記後側リンク６８と前側リンク６９が取付可能となるように、フレームパイプ８１には筒体８３，８３がそれぞれ固着されている。なお、この前後に固着された筒体８３，８３間隔は上記段付支軸３０，３０の間隔と等しくなっている。さらに、フレームパイプ８１，８１の前端部及び横パイプ８２の後部には脚受ボトム７の取付部材８４，８５がそれぞれ固着されている。なお、脚受ボトム７に設けた空孔部３８ａ，３８ｂ間隔と取付部材８４．８５の間隔は等しくなっている。
そして、左右一対のリンクプレート８６，８６に連結パイプ８７を固着してなる第一脚受リンク８８と、第二脚受リンク８９とによって脚受ボトム７を脚受支持フレーム７０に取り付けている。なお、第一脚受リンク８８のリンクプレート８６には３箇所の空孔部８６ａ，８６ｂ，８６ｃが穿たれており、下側から２番目の空孔部８６ｂを取付部材８５に取り付けている。また、第二脚受リンク８９はプレートの両端近傍に空孔部８９ａ，８９ａが穿たれたものである。
なお、第一脚受リンク８８，８８の空孔部８６ｃと後側リンク６８の軸受部材７４間には、連動杆９０が取り付けられる。この連動杆９０は、両端部に空孔部９１ａ，９１ａを設けるとともに、Ｌ字状に曲折された左右一対のパイプ９１，９１に連結パイプ９２を固着してなるものである。
【００１９】
上記のように構成された移動機構９によれば、摺動フレーム４の前後移動に連動して、次のように作動する。
まず、第８図に示すようにアクチュエーター３４を最も伸ばした状態にあるとき、摺動フレーム４は前端部位置にあり、前側リンク６９，６９のローラー７８，７８が前カムプレート２１，２１下面に接した状態、すなわち前方上方回動した状態となっており、前側リンク６９，６９及び後側リンク６８，６８によって脚受支持フレーム７０も前方上方に振り上げられた状態で保持されている。そして、この脚受支持フレーム７０に第一脚受リンク８８と第二脚受リンク８９，８９を介して取り付けられた脚受ボトム７が腰受ボトム５を同一平面を形成する状態となるよう連動杆９０の長さは調節されている。
この状態から、第９図に示すように前側リンク６９，６９のローラー７８，７８が前カムプレート２１，２１の下面に沿って移動する範囲では、脚受ボトム７は高さが変わることなく摺動フレーム４の後退とともに脚受ボトム７も後退する。
さらに、摺動フレーム４を後退させると、第１０図に示すように前側リンク６９，６９のローラー７８，７８が後カムプレート２０，２０と前カムプレート２１，２１間にできた溝部に嵌るようになる。このとき、前側リンク６９，６９が下方回動するので、後側リンク６８，６８も下方回動するとともに脚受支持フレーム７０が下方移動する。
そして、アクチュエーター３４をさらに縮めると、第１０図から第１２図に示しているように、前側リンク６９，６９が後方回動し、脚受支持フレーム７０を下方移動させるとともに、摺動フレーム４が後方移動しているので腰受ボトム５下方に引き込まれた状態となっている。このとき、後側リンク６８の筒体７３に対して相対的に軸受部材７４は上方回動した状態となり、連動杆９０を押し出すようになっている。これに連動するように第一脚受リンク８８が反時計回りに回動されるので脚受ボトム７は脚受支持フレーム７０に対して相対的に後方回動される。このように構成された移動機構９によれば、脚受ボトムは円弧を描くように下方移動し、然る後、略々水平移動するように腰受ボトム５の下方に位置するように後方移動する。このとき、基部フレーム２には前方開放の空間Ｓが設けられているので、脚受ボトム７の幅を広げたものであっても、正常に動作することは言うまでもない。
なお、前側リンク６９のプレート７９に設けた水平部７９ａ及び突起部７９ｂは基部フレーム２の反転軸２２に接触することによって前側リンク６９の回動運動を補助するものである。
【００２０】
次に、床部支持機構１０について説明する。
この床部支持機構１０は、背受ボトム６と腰受ボトム５及び脚受ボトム７からなる床部が水平面を形成する状態、すなわち、ベッド１上で仰臥できる状態にあるときに、作用するものである。詳述すると床部の全長に対して、基部フレーム２が小さく構成されているので、脚受ボトム７側に負荷がかかったときに不安定な状態となり易く、それを防止するためのものである。
そして、この床部支持機構１０は、脚受支持フレーム７０に回動自在に取り付けられた支持フレーム９３と、脚受支持フレーム７０と該支持フレーム９３間に配されるリンク部材９４，９５、さらにはこのリンク部材９４，９５を作動させる作用杆９６とから主に構成されている。
【００２１】
まず、支持フレーム９３について説明する。この支持フレーム９３は左右のフレームパイプ９７，９７を離間した状態で横パイプ９８を固着し、略々コ字状に構成している。なお、フレームパイプ９７の後部には軸受９９が固着されており、前端部にはローラー１００が取り付けられるブラケット１０１が固着されている。さらに、横パイプ９８の略々中間部にはリンク部材９４が取り付けられるブラケット１０２が固着されている。
このように構成されてなる支持フレーム９３を脚受支持フレーム７０の後ろ側の筒体８３，８３に回動自在となるように取り付けている。
【００２２】
次に、脚受支持フレーム７０の横パイプ８２の略々中間部に固着されたブラケット１０３と支持フレーム９３に固着されたブラケット１０２間に配されるリンク部材９４，９５について説明する。
このリンク部材９４は、プレートの両端部近傍に空孔部９４ａ，９４ａを設けたものである。そして、リンク部材９５は両端部近傍に空孔部９５ａ，９５ａを設けた左右一対のプレート間に補強部材９５ｂを固着してなるものである。なお、リンク部材９５の中間部には、ピン１０４が嵌着される空孔部９５ｃが設けられている。
このように構成されたリンク部材９４を支持フレーム９３のブラケット１０２に回動自在となるように取り付けるとともに、他方側の空孔部９４ａをリンク部材９５の空孔部９５ａ，９５ａ間に挟むようにして回動自在に取り付ける。さらに、リンク部材９５の他方側の空孔部９５ａを脚受支持フレーム７０のブラケット１０３に回動自在となるように取り付けている。
【００２３】
さらに、空孔部１０５ａ、１０５ｂを備えたプレート１０５を脚受支持フレーム７０と支持フレーム９３間に挟み込むように取り付ける。詳述すると、空孔部１０５ａを脚受支持フレーム７０の筒体８３と支持フレーム９３の軸受９９間に配し、空孔部１０５ｂを後側リンク６８の軸受部材７４に挿通している。そして、このプレート１０５，１０５間には連結パイプ１０６が固着されており、この連結パイプ１０６の略々中間部にはブラケット１０７が固着されている。
このブラケット１０７には、一端部に筒体１０８が固着され、他端部には長孔部９６ａが設けられてなる作用杆９６の筒体１０８が取り付けられている。そして、前記長孔部９６ａ内にはリンク部材９５に嵌着するピン１０４を挿通するように取り付けている。
なお、図示していないがリンク部材９４，９５が正常に作動するように、少なくとも一方のリンク部材９４，９５には後方側に付勢されるようにスプリング部材が張設されている。
【００２４】
次に、上記のように構成された床部支持機構１０について説明する。
まず、第８図及び第９図に示すように、前側リンク６９のローラー７８，７８が前カムプレート２１，２１下面を移動する範囲では、脚受支持フレーム７０と支持フレーム９３間に取り付けられたリンク部材９４，９５が略々直線状態に近い状態で作用杆９６によって保持されており、支持フレーム９３がしっかりと固定された状態となっている。詳述すると、作用杆９６の長孔部９６ａ後端部にピン１０４が接した状態でリンク部材９４，９５が略々直線上に近い状態となり、かつ、脚受支持フレーム７０に回動自在に取り付けられた支持フレーム９３の車輪１００，１００が接地するよう設定されている。したがって、脚受支持フレーム７０に対して支持フレーム９３が略々直線状の状態にあるリンク部材９４，９５で支持されることとなり、各部材が撓むことなく、脚受ボトム７をしっかりと支持するよう構成されている。なお、直線状態にあるリンク部材９４，９５は屈曲しやすい状態にあるが、スプリング部材（図示省略）によって付勢されているので、逆方向への屈曲状態となることがない。
次に、第１０図から第１１図に示す状態、すなわち、椅子状態に形態を変化させている状態では脚受ボトム７に大きな負荷がかかることがなく、床部支持機構１０は次のような状態となっている。まず、摺動フレーム４を後退させると、後側リンク６８の筒体７３に対してブラケット１０７が相対的に後方に移動するために、長孔部９６ａ内をピン１０４が移動自在な状態となる。したがって、リンク部材９４，９５が自由回動状態となり、支持フレーム９３の車輪１００，１００が接地した状態となっているが、脚受ボトム７をしっかりと支持できる状態ではない。
そして、摺動フレーム４を後端部まで移動させると、脚受ボトム７は腰受ボトム５下方に移動した状態となっており、基部フレーム２によってベッド１にかかる負荷を支持できる状態となっている。
【実施例２】
【００２５】
次に上述した床部支持機構１０と異なる実施例について説明する。なお、上記実施例と同じ構成をとっている部分については同じ符号を付している。
この床部支持機構１０は、摺動フレーム４下面に側面視において略々Ｌ字状の支持フレーム１１０を固着して、この支持フレーム１１０前端部に車輪１１１が取付可能なブラケット１１２を固着してなるものである。なお、１１３は左右の支持フレーム１１０を連結する補強パイプである。
このような床部支持機構１０は、摺動フレーム４の前後移動に連動して支持フレーム１１０の車輪１１１が床上を転動しながら前後移動し、腰受ボトム５や脚受ボトム７を支持しているので安定する。
なお、支持フレーム１１０を脚受ボトム７の下方に位置するまで延長することも可能であるが、第１４図に示すようにベッド１を椅子状の形態とした際に、使用者が立ち上がり横方向へ移動する障害となる恐れがあるため、腰受ボトム５前端部までの長さとすることが好ましい。
【図面の簡単な説明】
【００２６】
【図１】本発明に係るベッドの作動状態を示す全体斜視図
【図２】基部フレームの構成を示す斜視図
【図３】摺動フレームの構成を示す斜視図
【図４】背受ボトムと腰受ボトム及び脚受ボトムの構成を示す斜視図
【図５】起伏機構及び揺動機構を示す要部側断面図
【図６】移動機構及び床部支持機構を示す斜視図
【図７】移動機構及び床部支持機構を示す側断面図
【図８】本発明に係るベッドの作動状態を示す全体側断面図（１）
【図９】本発明に係るベッドの作動状態を示す全体側断面図（２）
【図１０】本発明に係るベッドの作動状態を示す全体側断面図（３）
【図１１】本発明に係るベッドの作動状態を示す全体側断面図（４）
【図１２】本発明に係るベッドの作動状態を示す全体側断面図（５）
【図１３】別の床部支持機構を示す全体側面図
【図１４】その床部支持機構の作動状態を示す全体側面図
【符号の説明】
【００２７】
１    ベッド
２    基部フレーム
３    駆動手段
４    摺動フレーム
５    腰受ボトム
６    背受ボトム
７    脚受ボトム
８    起伏機構
９    移動手段
１０  床部支持機構
【図１】
2005118189.tif 000003
【図２】
2005118189.tif 000004
【図３】
2005118189.tif 000005
【図４】
2005118189.tif 000006
【図５】
2005118189.tif 000007
【図６】
2005118189.tif 000008
【図７】
2005118189.tif 000009
【図８】
2005118189.tif 000010
【図９】
2005118189.tif 000011
【図１０】
2005118189.tif 000012
【図１１】
2005118189.tif 000013
【図１２】
2005118189.tif 000014
【図１３】
2005118189.tif 000015
【図１４】
2005118189.tif 000016